(57)【要約】【課題】ＩＣカードを用いる電子マネーシステム等で端末機を必要としないリーダライタを提供する。【解決手段】ＩＣカードに記録されているデータを読取る読取手段と、読取られたデータを前記ＩＣカードを一括管理するサーバに通信回線を介して送信する送信手段と、送信されてきた前記ＩＣカードに係るデータを基に処理した前記サーバからの所定のデータを通信回線を介して受信する受信手段と、受信された所定のデータを前記ＩＣカードに書込む書込手段とを有する。【選択図】      図４
2004164499.tif 000002
【特許請求の範囲】
【請求項１】
ＩＣカードに記録されているデータを読取る読取手段と、
読取られたデータを前記ＩＣカードを一括管理するサーバに通信回線を介して送信する送信手段と、
送信されてきた前記ＩＣカードに係るデータを基に処理した前記サーバからの所定のデータを通信回線を介して受信する受信手段と、
受信された所定のデータを前記ＩＣカードに書込む書込手段と、
を有することを特徴とするリーダライタ。
【請求項２】
請求項１に記載のリーダライタにおいて、送信及び受信は、所定の暗号化処理の下に行われることを特徴とするリーダライタ。
【請求項３】
請求項１又は２に記載のリーダライタにおいて、通信回線は、公衆回線網を含んで構成されることを特徴とするリーダライタ。
【請求項４】
請求項１〜３のいずれかに記載のリーダライタにおいて、ＩＣカードは、非接触券であることを特徴とするリーダライタ。
【発明の詳細な説明】
【０００１】
【発明の属する技術分野】
本発明は、ＩＣカードを処理するリーダライタに関する。
【０００２】
【従来の技術】
図３は、本出願人に係る意匠登録第１０１５０７１号に係るリーダライタの斜視図である。このように、ＩＣカードを処理するためのリーダライタａ′は、その筐体ａ０  に無線通信機能を備えたＩＣカードからなる図示しない非接触券を載置する載置台、いわゆるアンテナ部３０と、その非接触券を用いた取引の内容、例えば減額処理あるいは積増処理等の所定の内容を入力するテンキーを備えて形成された入力部３１と、非接触券の残額や減額等の所定の内容を表示する表示部３２とを有し、その筐体ａ０  内にＣＰＵを中心にした図示しない処理部を有している。そして、処理部は、アンテナ部３０に載置された非接触券に記録されているデータ（カードデータ）を読取り、その読取られたデータを基にした所定の演算処理の結果のデータをその非接触券に書込むことができるように構成されている。
【０００３】
上記リーダライタａ′は、特開２０００−２７６５６８号公報に示されるように、端末機を介してサーバに接続されるように構成されている。図４を用いてさらに説明すると、リーダライタａ′は、例えば非接触券が電子マネーで用いられる場合、接客箇所の店頭に設置され、端末機ｂは、通常、店の奥の顧客の目につかない場所に設置される。
【０００４】
上記端末機ｂは、通信回線Ｌ′を介して複数（図４の例では１台のみ示されている。）のリーダライタａ′と通信する機能を有するとともに、通信回線Ｌ０  を介して非接触券を管理する管理会社の本社等の所定の中央に設けられているホストコンピュータからなるサーバと通信する機能を有する、マイクロコンピュータ（マイコン）を中心に構成されている。したがって、サーバは、リーダライタａ′を介して処理した端末機ｂに記憶されている非接触券の所定の処理データである一件明細データを通信回線Ｌ０  を介して取込み、非接触券を管理することができる。
【０００５】
【発明が解決しようとする課題】
しかしながら、上記従来のリーダライタは、サーバと接続された端末機の付属部品的な存在であり、端末機と一体不可分の関係にあり、リーダライタには必ず端末機が必要であるため設備コストがかさみ、ＩＣカードの普及のネックになっていた。
【０００６】
そこで、本発明は、上記欠点を解決するためになされたものであって、その目的は、端末機を介さずにサーバに接続することのできるリーダライタを提供することにある。
【０００７】
【課題を解決するための手段】
本発明に係るリーダライタは、上記目的を達成するために、請求項１に記載の発明は、ＩＣカードに記録されているデータを読取る読取手段と、読取られたデータを前記ＩＣカードを一括管理するサーバに通信回線を介して送信する送信手段と、送信されてきた前記ＩＣカードに係るデータを基に処理した前記サーバからの所定のデータを通信回線を介して受信する受信手段と、受信された所定のデータを前記ＩＣカードに書込む書込手段と、を有することを特徴としている。
本発明の請求項２に記載のリーダライタは、送信及び受信は、所定の暗号化処理の下に行われることを特徴としている。
本発明の請求項３に記載のリーダライタは、通信回線は、公衆回線網を含んで構成されることを特徴としている。
本発明の請求項４に記載のリーダライタは、ＩＣカードは、非接触券であることを特徴としている。
【０００８】
【発明の実施の形態】
以下、本発明の実施の形態を図面に基づいて説明する。図１は、本発明の一実施の形態に係るリーダライタａの筐体ａ０  の内部に含まれる電気的構成のブロック図及びＩＣカードを非接触券としたときのその電気的構成を示すブロック図である。なお、リーダライタａの筐体ａ０  外観は、図示しないが上記図３と同様に構成され、したがって、その筐体ａ０  には、アンテナ部３０、入力部３１及び表示部３２が設けられている。以下、上記図３をも用いて説明する。
【０００９】
ＣＰＵ１は、ＲＯＭ２に格納されているシステムプログラムデータ及びＲＡＭ３に格納されているワーキングデータを用いて所定の演算制御処理を行うように構成されている。そして、そのＣＰＵ１は、Ｉ／Ｏユニット４を介して入力部３１（図３参照）から入力した信号を処理する入力ドライバ５と、表示部３２（図３参照）の表示内容を駆動制御する表示ドライバ６と、非接触券イの読取処理及び書込を処理するための読取書込部７とを接続している。
【００１０】
上記読取書込部７は、非接触券イと交信を行うためのアンテナ部３０に設けられているアンテナ７ａ（図３参照）が接続されている。このアンテナ７ａは、非接触券イとデータ授受を行う機能と、非接触券イに電力を供給する機能とが備えられている。
【００１１】
図１中、８は、Ｉ／Ｏユニット４に接続されている通信制御部であり、既設の公衆回線網からなる通信回線Ｌ０  を介して非接触券イを管理している会社の本社に設置されているホストコンピュータからなるサーバ（図示せず）に接続されている。この通信制御部８は、リーダライタａからのデータを暗号化してサーバへ送信する機能を有するとともに、サーバから送られてくる暗号化されたデータを解読できる機能が備えられている。すなわち、リーダライタａとサーバとは、秘話機能を備えてネットワーク化されている。なお、サーバには、他のリーダライタも同様の機能を備えて接続されている。
【００１２】
非接触券イは、無線通信機能を有するＩＣカードと同様に構成されている。すなわち、この非接触券イには、アンテナ１０と、リーダライタａ側と交信するための通信部１１と、その通信部１１とＩ／Ｏユニット１２を介して接続されているＣＰＵ１３と、メモリ１４と、リーダライタａからの電力波をアンテナ１０を介して受信し、非接触券イの駆動電力を生成する電力生成回路１５とを有している。
【００１３】
上記メモリ１４には、非接触券イの識別データ（カードＩＤ）、非接触券イが定期券として用いられるときの乗車区間及び乗車期間等の定期券データ、非接触券イが商店等で買物をしたときや乗車料金の支払等の所定の決済処理に用いられる金額データ（ＳＦデータ）等の周知の非接触券と同様のカードデータが記憶されている。
【００１４】
以下、図２のフローチャートを用いて非接触券イが商品購入時の決済で用いられるときの制御動作について説明する。今、所定の商品を購入した利用者がその商品の購入代金の決済を非接触券イに記録されているＳＦデータ（金額データ）を用いて行おうとし、その非接触券イをアンテナ部（載置台）３０に載置したとする。非接触券イがアンテナ部３０に載置されると、非接触券イとリーダライタａとの間で交信が開始され、その非接触券イのメモリ１４に記憶されているカードデータがそのリーダライタａに読取られる（ステップ１００肯定、ステップ１０２。以下、ステップを「Ｓ」とする。）。
【００１５】
リーダライタａのメモリ３には、サーバからネガティブデータが送信されて記憶されているので、つまり、盗難カードや紛失カードのカードＩＤが記憶されているので、アンテナ部３０に載置された非接触券イがこのような非接触券に該当しないか否かが先ず判定される。もちろん、アンテナ部３０に載置された非接触券イのカードＩＤがＲＡＭ３のネガティブデータと一致するときは（Ｓ１０４否定）、そのような非接触券での取引は中止される。なお、このような非接触券イの有効性の判定は、非接触券イから読取られたカードデータをサーバに送信し、そのサーバにおいて行うようにしてもよい。
【００１６】
非接触券イが取引可能な有効券と判定されると（Ｓ１０４肯定）、入力部３１を介して購入した商品の代金及びその商品を特定する所定の情報が入力される（Ｓ１０６）。なお、この入力は、商品に貼付されているバーコード等の所定の情報を読取って自動的に行うようにしてもよい。この場合は、リーダライタａにそのような情報を読取るための読取装置が接続される。
【００１７】
上述の商品に係る情報の入力が終了し、かつ、その入力された情報が表示部３２を介して店員及び利用者（顧客）により確認された後、その商品に係る情報にリーダライタａを特定する所定の情報（例えばリーダライタａや店のＩＤ）を付加して通信回線Ｌ０  を介してサーバに送信される（Ｓ１１０）。この送信に当っては、秘密を保持するために所定の暗号化処理の下に行われる。後述のサーバからリーダライタａへの送信も同様に所定の暗号化処理の下に行われる。
【００１８】
サーバ（ホストコンピュータ）は、非接触券１枚毎に非接触券に係る情報を管理しているので、非接触券イの残額で商品の購入代金を減額できるか、あるいはその非接触券イがクレジットを含んでいるときに貸出限度内か等の所定の決済処理が行われる。そして、その決済処理が終了すると、その処理済みの情報が通信回線Ｌ０  を介してサーバからリーダライタａへ送信される（Ｓ１１２肯定）。
【００１９】
リーダライタａは、サーバから処理済みの情報を受信すると、その情報に含まれている新たな残額データを非接触券イのメモリ１４に書込み、一連の商品購入に伴う決済処理は終了となる（Ｓ１１４）。なお、図４のフローチャートでは省略されているが、サーバにおいて商品の購入代金の減額処理等の所定の決済処理ができないと判定されたときは、その旨がリーダライタａに送信され、その内容が表示部３２に表示される。この場合も非接触券イを用いた決済処理は行われない。
【００２０】
上述の例は、リーダライタａを用いた商品購入時の決済処理であるが、リーダライタａを用いた金額の積増処理であってもよい。この場合は、積増する金額を係員（店員）に渡し、その渡された金額が入力部３１から入力される。また、このリーダライタａは、非接触式の自動改札機や自動精算機等の駅務機器に組み込むこともできる。この場合は、乗車券の管理をサーバにおいて一括管理できる特長がある。さらに、上述の例では、ＩＣカードを非接触券としたが、リーダライタａにＩＣカードを接続する接続型とすることもできる。しかし、上述のように非接触型としたときは、リーダライタａとＩＣカードとのデータ授受（交信）を容易に行うことができる。
【００２１】
【発明の効果】
本発明の請求項１に係るリーダライタは、ＩＣカードに記録されているデータを読取る読取手段と、読取られたデータを前記ＩＣカードを一括管理するサーバに通信回線を介して送信する送信手段と、送信されてきた前記ＩＣカードに係るデータを基に処理した前記サーバからの所定のデータを通信回線を介して受信する受信手段と、受信された所定のデータを前記ＩＣカードに書込む書込手段とを有するので、端末機を用いずに電子決済システム等を容易に実現できる特長がある。
本発明の請求項２に係るリーダライタは、送信及び受信は、所定の暗号化処理の下に行われるので、リーダライタとサーバとの間の通信の秘密を保持することができる。
本発明の請求項３に係るリーダライタは、通信回線は、公衆回線網を含んで構成されるので、既設の通信設備を利用して安価に実現することができる。
本発明の請求項４に係るリーダライタは、ＩＣカードを非接触券としたので、リーダライタとの交信を容易に行うことができる。
【図面の簡単な説明】
【図１】本発明の一実施の形態に係るリーダライタ及び非接触券の電気的構成を示すブロック図である。
【図２】制御動作を示すフローチャートである。
【図３】リーダライタの斜視図である。
【図４】従来のリーダライタの処理システムの概略構成図である。
【符号の説明】
ａ  リーダライタ
ａ０    筐体
１  ＣＰＵ
２  ＲＯＭ
３  ＲＡＭ
４  Ｉ／Ｏユニット
５  入力ドライバ
６  表示ドライバ
７  読取書込部
イ  非接触券（ＩＣカード）
３０  載置台（アンテナ部）
３１  入力部
３２  表示部
【図１】
2004164499.tif 000003
【図２】
2004164499.tif 000004
【図３】
2004164499.tif 000005
【図４】
2004164499.tif 000006